(57)【要約】　　　（修正有）【課題】ファスナーの使用で上下何れの方向でも脱衣容易となるズボンの提供。【解決手段】左右前身頃と同後身頃のベルト箇所から裾に至る両脇線にスライドファスナーを取付け、該スライドファスナーの開放で左右前身頃と同後身頃が開放される構成で、上記スライドファスナーの下端部にはフックを有する箱体と凸部を有する蝶棒を設け、蝶棒の凸部を箱体のフックに斜めに差し込み、横から蝶棒をスライダーに密着させてスライダーを引き上げることにより結合し、上記スライドファスナーの上端部には右務歯列の先にクッション務歯、片面延長務歯列を延設して、スライダーを引き上げることにより上方から務歯の噛み合いが外れて分離する。【選択図】図１
0003097901.tif 000002
【実用新案登録請求の範囲】
【請求項１】
左右前身頃と同後身頃のベルト箇所から裾に至る両脇線にスライドファスナーを取付け、該スライドファスナーの開放で左右前身頃と同後身頃が開放される構成で、上記スライドファスナーの下端部にはフックを有する箱体と凸部を有する蝶棒を設け、蝶棒の凸部を箱体のフックに斜めに差し込み、横から蝶棒をスライダーに密着させてスライダーを引き上げることにより結合し、上記スライドファスナーの上端部には右務歯列の先にクッション務歯、片面延長務歯列を延設して、スライダーを引き上げることにより上方から務歯の噛み合いが外れる構成にしたことを特徴とするズボン。
【請求項２】
左右前身頃と同後身頃のベルト箇所を伸縮帯地となしたことを特徴とする請求項１記載のズボン。
【請求項３】
左右前身頃と同後身頃のベルト部分の接合箇所は片方側から一定長の舌片を他方のベルト箇所へ重合させるように突出させ、該舌片にホックの雄部又は雌部を、これと重合する他方のベルト箇所には逆の雌部又は雄部を取り付けると共に、左右前身頃と同後身頃の裾部分の接合箇所は片方側から一定長の舌片を他方の裾箇所へ重合させるように突出させ、該舌片に面ファスナーの雄部又は雌部を、これと重合する他方の裾箇所には逆の雌部又は雄部を取り付けたことを特徴とする請求項１又は２記載のズボン。
【考案の詳細な説明】
【０００１】
【考案の属する技術分野】
本考案は、脱衣容易なズボンに関するものである。
【０００２】
【従来の技術】
従来より、ズボンの左右の脇線にオープンファスナーを設け、脇線を開放して脱衣するズボンは考えられている（実開平６−６４１７）。
【０００３】
【考案が解決しようとする課題】
しかしながら、オープンファスナーは、スライダーにファスナー下部で蝶棒を組み入れてから上方へ引き上げて閉塞し、スライダーを下げおろして開放する構成であり、ズボンの丈に使用する長いサイズのファスナーを開放する際、スライダーを下までおろすのは煩わしいという問題がある。
そこで、本考案は、係る問題点を解決すべく、脱衣容易なズボンの提供を目的とするものである。
【０００４】
【課題を解決するための手段】
本考案に係るズボンは、左右前身頃と同後身頃のベルト箇所から裾に至る両脇線にスライドファスナーを取付け、該スライドファスナーの開放で左右前身頃と同後身頃が開放される構成で、上記スライドファスナーの下端部にはフックを有する箱体と凸部を有する蝶棒を設け、蝶棒の凸部を箱体のフックに斜めに差し込み、横から蝶棒をスライダーに密着させてスライダーを引き上げることにより結合し、上記スライドファスナーの上端部には右務歯列の先にクッション務歯、片面延長務歯列を延設して、スライダーを引き上げることにより上方から務歯の噛み合いが外れる構成にしたことを特徴とする。
【０００５】
また、左右前身頃と同後身頃のベルト箇所を伸縮帯地となし、左右前身頃と同後身頃のベルト部分の接合箇所は片方側から一定長の舌片を他方のベルト箇所へ重合させるように突出させ、該舌片にホックの雄部又は雌部を、これと重合する他方のベルト箇所には逆の雌部又は雄部を取り付けると共に、左右前身頃と同後身頃の裾部分の接合箇所は片方側から一定長の舌片を他方の裾箇所へ重合させるように突出させ、該舌片に面ファスナーの雄部又は雌部を、これと重合する他方の裾箇所には逆の雌部又は雄部を取り付けたりする。
【０００６】
【考案の実施の形態】
以下、図面に示す実施の形態について説明する。
図１は本考案に係るズボンの正面図で、図２は図１の右側面図である。本考案に係るズボン１は、右前身頃２、左前身頃２’、右後身頃３、左後身頃３’、前ベルト４、後ベルト５からなり、右前身頃２と右後身頃３のベルトから裾までに至る右脇線の接合箇所にスライドファスナー６を設け、左前身頃２’と左後身頃３’のベルトから裾までに至る左脇線の接合箇所にスライドファスナー６’を設けてある。図３は両脇のスライドファスナー６、６’の一部を開いた時の正面図である。
【０００７】
図４はスライドファスナー６の下端部の説明図である。スライドファスナー６の下端部には箱体７と蝶棒８があり、さらに箱体７にはフック７ａが設けられ、蝶棒８には箱体のフック７ａに対応する凸部８ａが設けられている。すなわち、蝶棒の凸部８ａを箱体のフック７ａに斜めに差し込み、横から蝶棒８をスライダー９に密着させてスライダー９を引き上げることにより、右務歯列１０と左務歯列１１が噛み合わさり閉塞する構成になっている。この構成により蝶棒のスライダーに対する差し込みが容易で、且つ開き操作も簡単である。
【０００８】
図５はスライドファスナー６の上端部の説明図である。スライドファスナー６の上端部にはクッション務歯１２、片面延長務歯列１３があり、さらに片面延長務歯列１３の端部には凸状部１４が設けられている。すなわち、スライダー９を通してもクッション務歯１２において噛み合わず、引き上げるときもこの部位での抵抗がまし、ある一定の力が加わらない限り、先に進まず、力を加えて引き上げると、スライダー９は片面延長務歯列１３へ滑り込み、端部の凸状部１４で務歯列から抜けない構成になっている。
【０００９】
そして、スライダー９を片面延長務歯列１３へ引き上げることにより、上方から務歯の噛み合いが外れ、スライダーを引き下げることなく、スライドファスナー６を開放することができるものとなる。
【００１０】
本考案に係るズボンは普通のスラックスに適用することはもちろんのこと、防寒用のズボン、雨合羽のズボンのように、ズボンの上にさらに穿き、脱衣がめんどうである場合に適用すると効果的である。また、寝たきりの人を介護する場合にパジャマのズボンに適用することも有用である。
【００１１】
なお、前ベルト４と後ベルト５はゴムベルトによる伸縮帯地となし、前ベルト４と後ベルト５の左右の接合箇所において、前ベルト４の左右の端部から一定長の舌片１５、１５’を突出させ、該舌片１５、１５’にホックの雄部１６、１６’を取り付け、該雄部１６、１６’に対応するホックの雌部１７、１７’を後ベルトの左右の端部に取り付け、該ホックの雄部１６と雌部１７及び雄部１６’と雌部１７’を止めることにより前後のベルトを接ぎ合わせている。
【００１２】
さらに、右前見頃２と右後見頃３及び左前見頃２’と左後見頃３’の裾部分の接合箇所において、右前見頃２及び左前見頃２’の端部から一定長の舌片１８、１８’を突出させ、該舌片１８、１８’に面ファスナーの雄部１９、１９’を取り付け、該雄部１９、１９’に対応する面ファスナーの雌部２０、２０’を右後見頃３及び左後見頃３’の端部に取り付け、該面ファスナーの雄部１９と雌部２０及び雄部１９’と雌部２０’を止めることにより前後の裾部分を接ぎ合わせている。
【００１３】
【考案の効果】
本考案は以上の通り構成するものであって、スライダーを片面延長務歯列へ引き上げることにより、上方から務歯の噛み合いが外れるため、スライダーを引き下げる手間が省け、スライドファスナーの下端部においても蝶棒の凸部の箱体のフックに対する差し込みも簡単に開放することができる。したがって、本考案は普通のスラックスに適用することはもちろんのこと、防寒用のズボン、雨合羽のズボンのように、ズボンの上にさらに穿き、脱衣がめんどうである場合に適用すると効果的である。また、寝たきりの人を介護する場合にパジャマのズボンに適用することも有用である。
【００１４】
ベルト箇所を伸縮帯地とし、ベルト箇所の接合箇所及び裾部分の接合箇所に一定長の舌片を設けて他方箇所へ重合させるように突出させ、該舌片及びこれと重合する箇所にホック又は面ファスナーの雄部又は雌部を設けて接合する構成によりにより、着用が迅速且つ簡便に行えるものとなる。
【図面の簡単な説明】
【図１】本考案に係る本考案に係るズボンの正面図である。
【図２】図１の右側面図である。
【図３】両脇のスライドファスナーの一部を開いた時の正面図である。
【図４】スライドファスナーの下端部の説明図である。
【図５】スライドファスナーの上端部の説明図である。
【符号の説明】
１　　ズボン
２　　右前身頃
２’　左前身頃
３　　右後見頃
３’　左後見頃
４　　前ベルト
５　　後ベルト
６，６’　　スライドファスナー
７　　箱体
７ａ　フック
８　　蝶棒
８ａ　凸部
９　　スライダー
１０　右務歯列
１１　左務歯列
１２　クッション務歯
１３　片面延長務歯列
１４　凸状部
１５，１５’　舌片
１６，１６’　ホックの雄部
１７，１７’　ホックの雌部
１８、１８’　舌片
１９、１９’　面ファスナーの雄部
２０、２０’　面ファスナーの雌部
【図１】
0003097901.tif 000003
【図２】
0003097901.tif 000004
【図３】
0003097901.tif 000005
【図４】
0003097901.tif 000006
【図５】
0003097901.tif 000007